(57)【要約】【課題】コネクタに接続されているチューブがねじれてもコネクタに伝達されるねじり力によって雄コネクタと雌コネクタとが分離することのない医療用コネクタを提供する。【解決手段】本発明の医療用コネクタは、雄コネクタ本体１２と、第１のチューブ１４と、中空針１６と、雄コネクタ本体１２の第１の溝部１８に挿入される突出部２０が上流端部に形成されていると共に下流端部に内側に突出する爪部２２が形成されている筒状部２４とを有する雄コネクタ１０と、雌コネクタ本体４２と、第２のチューブ４４と、ロート部材４６と、ゴム部材４８と、押付部材４９とを有し、雌コネクタ本体４２には、雄コネクタ１０の筒状部２４の爪部２２を係止する第２の溝部５４が形成されていると共に、第２の溝部５４の下流側の外周に第３の溝部５８が形成され、第３の溝部５８から連続して第４の溝部６２が形成されている雌コネクタ４０とを備えたものである。【選択図】図５
2011056009.tif 000002
【特許請求の範囲】
【請求項１】
医療用輸液管の接続に用いられる雄コネクタと雌コネクタとから構成される医療用コネクタであって、前記雄コネクタ側を上流側として前記雌コネクタ側を下流側としたときに、
前記雄コネクタは、
円筒状であり前記雌コネクタと接続される下流端から所定の距離上流側の外周の全周に亘って第１の溝部が形成された雄コネクタ本体と、
前記雄コネクタ本体の上流部に接続された第１のチューブと、
前記雄コネクタ本体に設けられ前記雄コネクタ本体の上流側の前記第１のチューブと下流側とを連通する第１の通路と、
前記第１の溝部に挿入される突出部が上流端部に形成されていると共に下流端部に内側に突出する爪部が形成された筒状部とを有し、
前記雌コネクタは、
円筒状であり雄コネクタと接続される上流端から所定の距離下流側の外周に前記雄コネクタの筒状部の爪部を係止する第２の溝部が形成され、前記第２の溝部の下流側の外周の全周に亘って前記雄コネクタの筒状部の爪部が係合可能な第３の溝部が形成され、前記第３の溝部から連続し上流側に向けて延びる第４の溝部が形成された雌コネクタ本体と、
前記雌コネクタ本体の下流部に接続された第２のチューブと、
前記雌コネクタ本体に設けられ前記雌コネクタ本体の下流側の前記第１のチューブと上流側とを連通する第２の通路とを有し、
前記雄コネクタの筒状部の内部に前記雌コネクタを挿入することにより、前記雄コネクタの前記第１の通路と前記雌コネクタの前記第２の通路とを接続して前記雄コネクタ本体の第１のチューブと前記雌コネクタの第２チューブとを連通すると共に、前記雄コネクタ本体の筒状部の爪部が下流側には移動可能に前記雌コネクタの第２の溝部に係止され、前記雄コネクタの筒状部の突出部と前記雄コネクタ本体の第１の溝部とが係合することで、前記雄コネクタの筒状部の突出部と前記雄コネクタ本体の第１の溝部とが軸回りに相対回転可能となる前記雄コネクタと前記雌コネクタとが連結され、前記雌コネクタに対して前記雄コネクタを下流側に押し込むことで前記雄コネクタの筒状部の爪部を前記雌コネクタの第３の溝部に進入させ、前記雄コネクタを前記雌コネクタに対して回転させて、前記雄コネクタの筒状部の爪部を前記第３の溝部から前記第４の溝部に誘導して引き抜くことで前記雄コネクタと前記雌コネクタとが分離されることを特徴とする医療用コネクタ。
【請求項２】
請求項１記載の医療用コネクタであって、
前記雄コネクタの第１の溝部の軸方向の幅は前記雄コネクタの筒状部の突出部の軸方向の幅より大きく形成され、前記筒状部が前記雄コネクタ本体に対して上流位置と下流位置に移動自在であり、前記雄コネクタと前記雌コネクタが接続状態で前記筒状部が上流側のときは前記爪部が前記第２の溝部に位置し、前記筒状部が下流側のときは前記爪部が第３の溝部に位置することを特徴とする医療用コネクタ。
【請求項３】
医療用輸液管の接続に用いられる雄コネクタと雌コネクタとから構成される医療用コネクタであって、前記雄コネクタ側を上流側として前記雌コネクタ側を下流側としたときに、
前記雄コネクタは、
円筒状に形成されている雄コネクタ本体と、
前記雄コネクタ本体の上流部に接続された第１のチューブと、
前記雄コネクタ本体に設けられ前記雄コネクタ本体の上流側の前記第１のチューブと下流側とを連通する第１の通路と、
前記雄コネクタ本体よりも大径であり軸方向の中間部から下流側に延びると共に下流端部に内側に突出する爪部が形成された筒状部とを有し、
前記雌コネクタは、
円筒状に形成され外周に第５の溝部及び第６の溝部が形成された雌コネクタ本体と、
前記雌コネクタ本体の下流部に接続された第２のチューブと、
前記雌コネクタ本体に設けられ前記雌コネクタ本体の下流側の前記第１のチューブと上流側とが連通する第２の通路とを有し、
前記雌コネクタ本体の第５の溝部は、上流側から下流側に向けて拡径して傾斜し、前記筒状部の爪部を上流側には移動不能にし、前記筒状部の爪部を円周方向に係止して回転を阻止する突出部を有し、
前記雌コネクタ本体の第６の溝部は、前記第５の溝部の傾斜面の中間部から上流に向けて延びると共に記第５の溝部の上流側と段差を有し、
前記雄コネクタと前記雌コネクタとを連結する際には、前記筒状部の爪部が前記第５の溝部に係止され、前記雄コネクタと前記雌コネクタとが相対回転したときに前記段差に上り回転が阻止され、
前記雄コネクタと前記雌コネクタとを分離する際には、前記筒状部を前記雌コネクタに対して下流側に押し込みながら回転させ、前記爪部が前記段差に当接するのを回避して前記第６の溝部に誘導して引き抜き可能となっていることを特徴とする医療用コネクタ。
【請求項４】
請求項３記載の医療用コネクタであって、
前記雄コネクタの筒状部は、前記雄コネクタ本体の下流端部の外周に形成された第１の溝部に挿入される突出部が上流端部に形成されている共に下流端部に内側に突出する爪部が形成されたことを特徴とする医療用コネクタ。
【発明の詳細な説明】
【技術分野】
【０００１】
本発明は、医療用輸液管の接続に用いられる雄コネクタと雌コネクタから構成される医療用コネクタに関する。
【背景技術】
【０００２】
従来、例えば医療に用いられる２つのチューブ同士を接続するコネクタとして、留置針が接続されたチューブを基端に備える第１コネクタ部材と、輸液バックが接続されたチューブを基端に備える第２コネクタ部材とからなる下記のような医療用コネクタが知られている（特許文献１参照）。
【０００３】
第１コネクタ部材は、外筒部と、外筒部内に位置し、かつ第１のチューブ接続部内部と連通する内筒部と、外筒部に設けられ、外筒部の内方に突出する第１係合部とを備え、第２コネクタ部材は、外筒部内に挿入可能でありかつ内筒部を内部に収納可能な筒状部と、筒状部の外面に設けられ、かつ筒状部の軸方向に延びる第１係合部係合時用誘導溝と、誘導溝と所定角度をもって接続する第１係合部回動用溝と、回動用溝と所定角度をもって接続する第１係合部離脱用誘導溝と、第１係合部係合時用誘導溝と回動用溝とを区切るように、かつ第１係合部と係合可能に形成された第２係合部とを備えるものである。
【０００４】
このものでは、第１コネクタ部材と第２コネクタ部材の連結は、第１コネクタ部材の第１係合部が第２コネクタ部材に対して押し込まれて、第２コネクタ部材の筒状部の軸方向に延びる第１係合部係合時用誘導溝に誘導され、第２コネクタ部材の第２係合部を乗り越えて誘導溝と所定角度をもって接続する第１係合部回動用溝と嵌合することによってなされる。また、第１コネクタ部材と第２コネクタ部材の分離は、第１コネクタ部材が第２コネクタ部材の回動用溝に形成されている保持用リブを乗り越えるように回転されて、回動用溝と所定角度をもって接続する第１係合部離脱用誘導溝に誘導され引き抜かれることによってなされる。
【先行技術文献】
【特許文献】
【０００５】
【特許文献１】特許第３３８２０５３号公報
【発明の概要】
【発明が解決しようとする課題】
【０００６】
しかしながら、上記従来技術では、コネクタに接続されているチューブがねじれてコネクタに伝達されるねじり力により、第１コネクタ部材が第２コネクタ部材の回動用溝の保持用リブを乗り越えるように回転して、第１コネクタ部材と第２コネクタ部材が分離してしまうおそれがあるという問題がある。
【０００７】
本発明は、上記問題に鑑みて、コネクタに接続されているチューブがねじれてもコネクタに伝達されるねじり力によって雄コネクタと雌コネクタとが分離することのない医療用コネクタを提供することを目的とする。
【課題を解決するための手段】
【０００８】
本発明の医療用コネクタは、医療用輸液管の接続に用いられる雄コネクタと雌コネクタとから構成される医療用コネクタであって、前記雄コネクタ側を上流側として前記雌コネクタ側を下流側としたときに、前記雄コネクタは、円筒状であり前記雌コネクタと接続される下流端から所定の距離上流側の外周の全周に亘って第１の溝部が形成された雄コネクタ本体と、前記雄コネクタ本体の上流部に接続された第１のチューブと、前記雄コネクタ本体に設けられ前記雄コネクタ本体の上流側の前記第１のチューブと下流側とを連通する第１の通路と、前記第１の溝部に挿入される突出部が上流端部に形成されていると共に下流端部に内側に突出する爪部が形成された筒状部とを有し、前記雌コネクタは、円筒状であり雄コネクタと接続される上流端から所定の距離下流側の外周に前記雄コネクタの筒状部の爪部を係止する第２の溝部が形成され、前記第２の溝部の下流側の外周の全周に亘って前記雄コネクタの筒状部の爪部が係合可能な第３の溝部が形成され、前記第３の溝部から連続し上流側に向けて延びる第４の溝部が形成された雌コネクタ本体と、前記雌コネクタ本体の下流部に接続された第２のチューブと、前記雌コネクタ本体に設けられ前記雌コネクタ本体の下流側の前記第１のチューブと上流側とを連通する第２の通路とを有し、前記雄コネクタの筒状部の内部に前記雌コネクタを挿入することにより、前記雄コネクタの前記第１の通路と前記雌コネクタの前記第２の通路とを接続して前記雄コネクタ本体の第１のチューブと前記雌コネクタの第２チューブとを連通すると共に、前記雄コネクタ本体の筒状部の爪部が下流側には移動可能に前記雌コネクタの第２の溝部に係止され、前記雄コネクタの筒状部の突出部と前記雄コネクタ本体の第１の溝部とが係合することで、前記雄コネクタの筒状部の突出部と前記雄コネクタ本体の第１の溝部とが軸回りに相対回転可能となる前記雄コネクタと前記雌コネクタとが連結され、前記雌コネクタに対して前記雄コネクタを下流側に押し込むことで前記雄コネクタの筒状部の爪部を前記雌コネクタの第３の溝部に進入させ、前記雄コネクタを前記雌コネクタに対して回転させて、前記雄コネクタの筒状部の爪部を前記第３の溝部から前記第４の溝部に誘導して引き抜くことで前記雄コネクタと前記雌コネクタとが分離されることを特徴とする。
【０００９】
本発明によれば、雄コネクタの筒状部の内部に雌コネクタを挿入することにより、雄コネクタの通路と雌コネクタの通路とを接続して雄コネクタ本体の第１のチューブと雌コネクタの第２チューブとが連通すると共に、雄コネクタ本体の筒状部の爪部が雌コネクタの第２の溝部に回転不能に係止され、雄コネクタの筒状部の突出部と雄コネクタ本体の第１の溝部とが係合することで、雄コネクタの筒状部の突出部と雄コネクタ本体の第１の溝部とが軸回りに相対回転可能であるように雄コネクタと前記雌コネクタとが連結される。
【００１０】
一方、雌コネクタに対して雄コネクタを下流側に押し込むことで雄コネクタの筒状部の爪部が雌コネクタの第３の溝部に進入して、雄コネクタを雌コネクタの第３の溝部に対して回転させて、雄コネクタの筒状部の爪部を第４の溝部に導入し引き抜くことで雄コネクタと前記雌コネクタとを分離される。
【００１１】
従って、コネクタに接続されているチューブがねじれてもコネクタに伝達されるねじり力により雄コネクタの筒状部の突出部と雄コネクタ本体の第１の溝部は軸回りに相対回転可能であるため、雄コネクタと雌コネクタとが分離することが防止される。
【００１２】
本発明において、前記雄コネクタの第１の溝部の軸方向の幅は前記雄コネクタの筒状部の突出部の軸方向の幅より大きく形成され、前記筒状部が前記雄コネクタ本体に対して上流位置と下流位置に移動自在であり、前記雄コネクタと前記雌コネクタが接続状態で前記筒状部が上流側のときは前記爪部が前記第２の溝部に位置し、前記筒状部が下流側のときは前記爪部が第３の溝部に位置することが好ましい。
【００１３】
この形態によれば、雄コネクタの筒状部を雌コネクタの方向に押し込むことで、雄コネクタの筒状部の爪部が雌コネクタの第２の溝部から第３の溝部に進入する。
【００１４】
また、本発明の医療用コネクタは、医療用輸液管の接続に用いられる雄コネクタと雌コネクタとから構成される医療用コネクタであって、前記雄コネクタ側を上流側として前記雌コネクタ側を下流側としたときに、前記雄コネクタは、円筒状に形成されている雄コネクタ本体と、前記雄コネクタ本体の上流部に接続された第１のチューブと、前記雄コネクタ本体に設けられ前記雄コネクタ本体の上流側の前記第１のチューブと下流側とを連通する第１の通路と、前記雄コネクタ本体よりも大径であり軸方向の中間部から下流側に延びると共に下流端部に内側に突出する爪部が形成された筒状部とを有し、前記雌コネクタは、円筒状に形成され外周に第５の溝部及び第６の溝部が形成された雌コネクタ本体と、前記雌コネクタ本体の下流部に接続された第２のチューブと、前記雌コネクタ本体に設けられ前記雌コネクタ本体の下流側の前記第１のチューブと上流側とが連通する第２の通路とを有し、前記雌コネクタ本体の第５の溝部は、上流側から下流側に向けて拡径して傾斜し、前記筒状部の爪部を上流側には移動不能にし、前記筒状部の爪部を円周方向に係止して回転を阻止する突出部を有し、前記雌コネクタ本体の第６の溝部は、前記第５の溝部の傾斜面の中間部から上流に向けて延びると共に記第５の溝部の上流側と段差を有し、前記雄コネクタと前記雌コネクタとが連結する際には、前記筒状部の爪部を前記第５の溝部に係止され、前記雄コネクタと前記雌コネクタとが相対回転したときに前記段差に上り回転が阻止され、前記雄コネクタと前記雌コネクタとを分離する際には、前記筒状部を前記雌コネクタに対して下流側に押し込みながら回転させ、前記爪部が前記段差に当接するのを回避して前記第６の溝部に誘導して引き抜き可能となっていることを特徴とする。
【００１５】
本発明によれば、雌コネクタは、円筒状に形成され外周に第５の溝部及び第６の溝部が形成された雌コネクタ本体と、雌コネクタ本体の下流部に接続された第２のチューブと、雌コネクタ本体に設けられ雌コネクタ本体の下流側の第１のチューブと上流側とが連通する第２の通路とを有し、
雌コネクタ本体の第５の溝部は、上流側から下流側に向けて拡径して傾斜し、前記筒状部の爪部を上流側には移動不能にし、前記筒状部の爪部を円周方向に係止して回転を阻止する突出部を有し、
雌コネクタ本体の第６の溝部は、第５の溝部の傾斜面の中間部から上流に向けて延びると共に前記第５の溝部の上流側と段差を有し、
雄コネクタと雌コネクタとを連結する際には、筒状部の爪部が第５の溝部に係止され、雄コネクタと雌コネクタとが相対回転したときに段差に上り回転が阻止され、
雄コネクタと雌コネクタとを分離する際には、筒状部を前記雌コネクタに対して下流側に押し込みながら回転させ、爪部が段差に当接するのを回避して第６の溝部に誘導して引き抜き可能となっていることを特徴とする。
【００１６】
従って、コネクタに接続されているチューブがねじれてもコネクタに伝達されるねじり力により雄コネクタ本体の筒状部の爪部と雌コネクタ本体の第５の溝部は所定角度軸回りに相対回転可能であるため、雄コネクタと雌コネクタが分離することが防止される。
【００１７】
本発明において、前記雄コネクタの筒状部は、前記雄コネクタ本体の下流端部の外周に形成された第１の溝部に挿入される突出部が上流端部に形成されていると共に下流端部に内側に突出する爪部が形成されていることが好ましい。
【００１８】
この形態によれば、コネクタに接続されているチューブがねじれてもコネクタに伝達されるねじり力により雄コネクタ本体の筒状部の爪部と雌コネクタ本体の第１の溝部は所定角度軸回りに相対回転可能であり、また、雄コネクタの筒状部の突出部と雄コネクタ本体の第１の溝部は相対回転可能であるため、雄コネクタと雌コネクタとが分離することが防止される。
【図面の簡単な説明】
【００１９】
【図１】本発明に係る第１実施形態の医療用コネクタの雄コネクタを示す図である。
【図２】第１実施形態の医療用コネクタの雄コネクタにおける筒状部を示す図である。
【図３】第１実施形態の医療用コネクタの雄コネクタにおける筒状部を雄コネクタ本体に係合させる方法を示す図である。
【図４】第１実施形態の医療用コネクタの雌コネクタを示す図である。
【図５】第１実施形態の医療用コネクタの雄コネクタと雌コネクタとが連結される状態を示す図である。
【図６】第１実施形態の医療用コネクタの雄コネクタと雌コネクタとが分離される状態を示す図である。
【図７】第２実施形態の医療用コネクタの雄コネクタを示す図である。
【図８】第２実施形態の医療用コネクタの雌コネクタを示す図である。
【図９】第２実施形態の医療用コネクタの雄コネクタと雌コネクタとが連結される状態を示す図である。
【図１０】第２実施形態の医療用コネクタの雄コネクタと雌コネクタとが分離される状態を示す図である。
【図１１】第３実施形態の医療用コネクタの雄コネクタと雌コネクタとが連結される状態を示す図である。
【図１２】第３実施形態の医療用コネクタの雄コネクタと雌コネクタとが分離される状態を示す図である。
【発明を実施するための形態】
【００２０】
[第１実施形態]
本発明の医療用コネクタは雄コネクタと雌コネクタから構成されている。以下の説明においては、雄コネクタと雌コネクタが接続された状態で雄コネクタを上流側として雌コネクタを下流側とする。
図１を参照して、第１実施形態の医療用コネクタの雄コネクタ１０について説明する。図１（ａ）は雄コネクタ１０の正面図及び側面図、並びに図１（ｂ）は雄コネクタ１０の側面断面図である。
【００２１】
雄コネクタ１０は、雄コネクタ本体１２と、雄コネクタ本体１２の上流端面の中央部から下流側に挿入される第１のチューブ１４と、雄コネクタ本体１２の下流端面の中央部に第１のチューブ１４と連通して下流端部が斜めに形成され下流側に突出するように設けられている中空針（第１の通路）１６と、雄コネクタ本体１２の下流端部の外周の全周に亘って形成された第１の溝部１８に挿入される突出部２０が上流端部に形成されていると共に下流端部に内側に突出する爪部２２が形成されている筒状部２４を備えている。
【００２２】
雄コネクタ本体１２は、下流側の第１円筒部２６と上流側の第２円筒部２８とから構成されている。第１円筒部２６の側面には、外周の全周に亘って第１の溝部１８が形成されている。第１円柱部２６の下流端面の中央部から軸方向の上流側には、中空針１６設けられている孔３０が形成されている。また、第２円筒部２８には、上流端面の中央部から軸方向の下流側に孔３０まで第１のチューブ１４が挿入される孔３２が形成されている。
【００２３】
図２を参照して、図２（ａ）は筒状部２４の正面図及び側面図、図２（ｂ）は図２（ａ）のIIb−IIb断面図、並びに図２（ｂ）は図２（ａ）のIIc−IIc断面図である。筒状部２４には、上流端部の径方向の内側に対称に突出している突出部２０が形成されている。また、上流端部の突出部２０と直交する下流端部の径方向の内側に対称に突出している爪部２２が形成されている。突出部２０の両端部には、溝部３４，３４が下流側に所定の距離延びて形成されている。爪部２２の両端部には、溝部３６，３６が上流側に所定の距離延びて形成されている。
【００２４】
図３を参照して、雄コネクタ本体１２と筒状部２４とが連結する方法について説明する。図３（ａ）は、雄コネクタ本体１２の下流端部に形成されている面取部３８に筒状部２４の突出部２０が当接されている状態を示している。また、図３（ｂ）は、雄コネクタ本体１２と筒状部２４とが連結されている状態を示している。雄コネクタ本体１２と筒状部２４との連結は、雄コネクタ本体１２の下流端部に形成されている面取部３８に筒状部２４の突出部２０を当接させて、雄コネクタ本体１２に対して上流側に押し込むことで、雄コネクタ本体１２の第１の溝部１８に筒状部２４の突出部２０が挿入されてなされる。この時、筒状部２４の突出部２０が雄コネクタ本体１２の第１円筒部２６の外径に沿って外側に撓むように、突出部２０の両端に下流側に所定の距離延びて形成されている溝部３４，３４が作用する。また、雄コネクタ１０の第１の溝部１８の軸方向に幅は雄コネクタ１０の筒状部２４の突出部２０の軸方向の幅より大きく形成されている。
【００２５】
次に、図４を参照して、第１実施形態の医療用コネクタの雌コネクタ４０について説明する。図４（ａ）は雌コネクタ４０の正面図及び側面図、図４（ｂ）は図４（ａ）のIVb−IVb断面図、並びに図２（ｂ）は図２（ａ）のIVc−IVc断面図である。
【００２６】
雌コネクタ４０は、雌コネクタ本体４２と、雌コネクタ本体４２の下流端面の中央部から上流側に挿入される第２のチューブ４４と、雌コネクタ本体４２の上流端部の中央部に第２のチューブ４４と連通するように設けられたロート状のロート部材（第２の通路）４６と、ロート部材４６と嵌合する円錐状に形成されたゴム部材４８と、ロート部材４６の上流端部に設けられゴム部材４８をロート部材４６に押し付ける環状の押付部材４９を備えている。
【００２７】
雌コネクタ本体４２は、中空の截頭円錐状に形成されている。雌コネクタ本体４２には、下流端面の中央部から軸方向の上流側に第２のチューブ４４が挿入される孔５０が形成されている。また、上流端面の中央部から軸方向の下流側にロート部材４６が挿入される孔５２が形成されている。
【００２８】
雌コネクタ本体４２の外周には、雄コネクタ１０の筒状部２４の爪部２２が係止される第２の溝部５４が形成されている。第２の溝部５４は、軸方向に中央部に断面形状が楔状であり側面視で矩形状に形成されている。また、雄コネクタ１０の筒状部２４の爪部２２を第２の溝部５４に導入する凹面５６が形成されている。凹面５６は、側面視で最大径から小径の逆三角形状に形成されている。また、第２の溝部５４の下流側には、雄コネクタ１０の筒状部２４の爪部２２が係合可能な第３の溝部５８が形成されている。第３の溝部５８は、第２の溝部５４の後壁と雌コネクタ本体４２の軸方向の中央部の外周に形成されている鍔部６０との間に形成されている。また、第３の溝部５８から連続して軸方向とは直交する方向に対称に円弧状となる側面視で三角形状の第４の溝部６２が形成されている。また、凹面５６と第４の溝部６２との間には突出部６４が形成されている。
【００２９】
次に、図５及び図６を参照して本実施形態の医療用コネクタの連結及び分離方法について説明する。
【００３０】
図５（ａ）は、雄コネクタ１０と雌コネクタ４０とが連結される前の状態を示している。図５（ｂ）は、雄コネクタ１０と雌コネクタ４０とが連結された状態を示している。
【００３１】
図５（ａ）を参照して、雄コネクタ１０と雌コネクタ４０とが連結される前には、雄コネクタ１０の筒状部２４の内部に雌コネクタ４０を挿入することにより、雄コネクタ１０は、雌コネクタ本体４２の凹面５６に雄コネクタ１０の筒状部２４の爪部２２が乗り上げて軸方向の下流側に押し込まれる。この時、雄コネクタ１０の筒状部２４の爪部２２の両端に形成されている溝部３６，３６の作用で爪部２２は外側に撓むことになる。また、雄コネクタ１０の中空針１６が押付部材４９の中央部を通ってゴム部材４８に差し込まれる。
【００３２】
図５（ｂ）を参照して、雄コネクタ１０と雌コネクタ４０とが連結された状態では、雄コネクタ１０の筒状部２４の爪部２２は、雌コネクタ本体４２の第２の溝部５４に係止される。また、雄コネクタ１０の中空針１６がゴム部材４８を貫通して雄コネクタ１０の第１のチューブ１４と雌コネクタ４０の第２チューブ４４とが連通される。この時、雄コネクタ本体４２を雌コネクタ４０に押し込むため、雄コネクタ１０の筒状部２４は、雌コネクタ本体４２の第２の溝部５４に係止されて雄コネクタ１０の下流端面と雌コネクタ４４の上流端面が突き当たって止まる。
【００３３】
また、雄コネクタ１０の筒状部２４の突出部２０は、雄コネクタ本体１２の第１の溝部１８に挿入されているため、雄コネクタ１０の筒状部２４の突出部２０と雄コネクタ本体１２の第１の溝部１８は軸回りに相対回転可能である。
【００３４】
図６（ａ）は、雄コネクタ１０と雌コネクタ４０とが分離される第１の状態を示している。図６（ｂ）は、雄コネクタ１０と雌コネクタ４０とが分離される第２の状態を示している。
【００３５】
図６（ａ）を参照して、雄コネクタ１０と雌コネクタ４０とが分離される第１の状態では、雄コネクタ１０と雌コネクタ４０とが連結された状態から雄コネクタ１０の筒状部２４を軸方向の下流側に押し込むことにより、雌コネクタ本体４２の第２溝部５４の軸方向の下流側に形成されている第３の溝部５８に雄コネクタ１０の筒状部２４の爪部２２が進入している。
【００３６】
図６（ｂ）を参照して、雄コネクタ１０と雌コネクタ４０とが分離される第２の状態では、雄コネクタ１０の筒状部２４の爪部２２が雌コネクタ本体４２の第３の溝部５８に進入した状態から雄コネクタ１０を第４の溝部６２に沿って誘導して引いている。更に、雄コネクタ１０を軸方向の上流側に引くと雌コネクタ４０は中空の截頭円錐状に形成されているため、上流端部で突出部６４を乗り越えて雄コネクタ１０と雌コネクタ４０とが分離される。
【００３７】
以上、本実施形態によれば、雄コネクタ１０の筒状部２４の内部に雌コネクタ４０を挿入することにより、雄コネクタ１０の筒状部２４の爪部２２は雌コネクタ本体４２の第２の溝部５４で係止されて、雄コネクタ１０の筒状部２４の突出部２０と雄コネクタ本体１２の第１の溝部１８は軸回りに相対回転可能であるように雄コネクタ１０と雌コネクタ４０とが連結される。
【００３８】
一方、雄コネクタ１０の筒状部２４を下流側に押し込み筒状部２４の爪部２２を雌コネクタ本体４２の第３の溝部５８に進入させて、雄コネクタ１０の筒状部２４を雌コネクタ本体４２の第４の溝部６２に沿って引くことで雄コネクタ１０と雌コネクタ４０とが分離される。
【００３９】
従って、コネクタに接続されているチューブがねじれてもコネクタに伝達されるねじり力により雄コネクタ１０の筒状部２４の突出部２０と雄コネクタ本体１２の第１の溝部１８は軸回りに相対回転可能であるため、雄コネクタ１０と雌コネクタ４０とが分離することが防止される。
【００４０】
[第２実施形態]
次に、第２実施形態の医療用コネクタについて説明する。尚、第１実施形態と同一のものは同一の符号を付けて説明を省略する。
【００４１】
図７を参照して、第２実施形態の医療用コネクタの雄コネクタ７０について説明する。図７（ａ）は雄コネクタ７０の正面図及び側面図、並びに図７（ｂ）は雄コネクタ７０の側断面図である。
【００４２】
雄コネクタ７０は、雄コネクタ本体７２と、雄コネクタ本体７２の上流端面の中央部から下流側に挿入される第１のチューブ１４と、雄コネクタ本体７２の軸方向の中央部から上流側に第１のチューブ１４と連通して下流端部が斜めに形成され下流側に突出するように設けられている中空針（第１の通路）１６と、雄コネクタ本体７２の下流端面の端部から下流側に延びる共に下流端部に内側に突出する爪部７４が形成されている筒状部７６とを備えている。
【００４３】
雄コネクタ本体７２は、筒状部７６、第１円筒部７８、及び第２円筒部８０から構成されている。筒状部７６の爪部７４の両端部には、溝部８２，８２が上流側に所定の距離延びて形成されている。第１円筒部７８の下流端面の中央部から軸方向の上流側には、中空針１６が設けられている孔８４が形成されている。また、第２円筒部８０には、下流端面の中央部から軸方向の上流側に孔８４まで第１のチューブ１４が挿入される孔８６が形成されている。
【００４４】
次に、図８を参照して、第２実施形態の医療用コネクタの雌コネクタ８８について説明する。図８（ａ）は雌コネクタ８８の正面図及び側面図、図８（ｂ）は図８（ａ）のVIIIb−VIIIb断面図、並びに図８（ｂ）は図８（ａ）のVIIIc−VIIIc断面図である。
【００４５】
雌コネクタ８８は、雌コネクタ本体９０と、雌コネクタ本体９０の下流端面の中央部から上流側に挿入される第２のチューブ４４と、雌コネクタ本体９０の上流端部の中央部に第２のチューブ４４と連通するように設けられたロート状のロート部材（第２の通路）４６と、ロート部材４６と嵌合する円錐状に形成されたゴム部材４８と、ロート部材４６の上流端部に設けられゴム部材４８をロート部材４６に押し付ける環状の押付部材４９を備えている。
【００４６】
雌コネクタ本体９０は、円筒状に形成されている。雌コネクタ本体９０には、下流端面の中央部から軸方向の上流側に第２のチューブ４４が挿入される孔９２が形成されている。また、上流端面の中央部から軸方向の下流側にロート部材４６が挿入される孔９４が形成されている。
【００４７】
雌コネクタ本体９０の外周には、雄コネクタ本体７２の筒状部７６の爪部７４が係合される第５の溝部９６が形成されている。また、雄コネクタ本体７２の筒状部７６の爪部７４を溝部９６に導入する曲面１００が形成されている。曲面１００は、雌コネクタ本体９０の上流側から下流側にかけて中空の截頭円錐状に雌コネクタ本体９０を形成する外周である。溝部９６は軸方向の上流側から下流側に向けて拡径するように傾斜して雄コネクタ本体７２の筒状部７６の爪部７４が下流側に移動可能に形成されている。雌コネクタ本体９０の溝部９６の軸方向に下流側には外周に突出して鍔部９８が形成されている。
【００４８】
第５の溝部９６には、径方向の外側に対称に雄コネクタ７０の回転を阻止する突出部１０２が形成されている。また、曲面１００には、突出部１０２から上流端に向けて延設された第１の壁部１０４と第１の壁部１０４と径方向に所定間隔で第２の壁部１０６とが形成されている。
【００４９】
また、突出部１０２及び第１の壁部１０４と第２の壁部１０６との間に下流端部が第５の溝部９６の傾斜面の中間部から上流に向けて延びると共に第５の溝部９６と段差を有している第６の溝部が形成されている。
【００５０】
次に、図９及び図１０を参照して本実施形態の医療用コネクタの連結及び分離方法について説明する。
【００５１】
図９（ａ）は、雄コネクタ７０と雌コネクタ８８とが連結される前の状態を示している。図９（ｂ）は、雄コネクタ７０と雌コネクタ８８とが連結された状態を示している。
【００５２】
図９（ａ）を参照して、雄コネクタ７０と雌コネクタ８８とが連結される前には、雄コネクタ本体７２の筒状部７６の内部に雌コネクタ８８を挿入することにより、雌コネクタ本体９０の曲面１００に雄コネクタ本体７２の筒状部７６の爪部７４が乗り上げて軸方向の下流側に押し込まれる。この時、雄コネクタ本体７２の筒状部７６の爪部７４の両端に形成されている溝部８２，８２の作用で爪部７４は外側に撓むことになる。また、雄コネクタ７０の中空針１６が押付部材４９の中央部を通ってゴム部材４８に差し込まれる。
【００５３】
図９（ｂ）を参照して、雄コネクタ７０と雌コネクタ８８とが連結された状態では、雄コネクタ本体７２の筒状部７６の爪部７４は、雌コネクタ本体９０の第５の溝部９６に係合している。また、雄コネクタ７０の中空針１６がゴム部材を貫通して雄コネクタ７０の第１のチューブ１４と雌コネクタ８８の第２チューブ４４とが連通される。
【００５４】
また、雄コネクタ本体７２の筒状部７６の爪部７４は、雌コネクタ本体９０の外周に形成されている第５の溝部９６に係合しているため、雄コネクタ本体７２の筒状部７６の爪部７４と雌コネクタ本体９０の第５の溝部９６とは所定角度軸回りに相対回転可能である。
【００５５】
図１０（ａ）は、雄コネクタ７０と雌コネクタ８８とが分離される第１の状態を示している。図１０（ｂ）は、雄コネクタ７０と雌コネクタ８８とが分離される第２の状態を示している。
【００５６】
図１０（ａ）を参照して、雄コネクタ７０と雌コネクタ８８とが分離される第１の状態では、雄コネクタ７０と雌コネクタ８８とが連結され雄コネクタ本体７２の筒状部７６の爪部７４が雌コネクタ本体９０の第５の溝部９６の上流側に係合されている状態から雄コネクタ７０を軸方向の下流側に押し込むことにより、雄コネクタ本体７２の筒状部７６の爪部７４が雌コネクタ本体９０の第５の溝部９６の軸方向の下流側に移動する。
【００５７】
図１０（ｂ）を参照して、雄コネクタ７０と雌コネクタ８８とが分離される第２の状態では、第１の状態から雄コネクタ７０を突出部１０２に突き当たるまで第５の溝部９６と第６の溝部１０８との段差を回避して回転され、雄コネクタ本体７２の筒状部７６の爪部７４を第６の溝部１０８に誘導して上流側に引いている。更に、雄コネクタ７０を軸方向の上流側に引くと雄コネクタ７０と雌コネクタ８８とが分離される。
【００５８】
以上、本実施形態では、雄コネクタ本体７２の筒状部７６の内部に雌コネクタ８８を挿入することにより、雄コネクタ本体７２の筒状部７６の爪部７４は雌コネクタ本体９０の第５の溝部９６に係合されて、雄コネクタ本体７２の筒状部７６の爪部７４と雌コネクタ本体９０の第５の溝部９６は所定角度軸回りに相対回転可能であるように雄コネクタ７０と雌コネクタ８８とが連結される。
【００５９】
一方、雄コネクタ本体７２を下流側に押し込み回転させて雄コネクタ本体７２の筒状部７６の爪部７４を第６の溝部１０８に沿って上流側に引くことで雄コネクタ７０と雌コネクタ８８とが分離される。
【００６０】
従って、コネクタに接続されているチューブがねじれてもコネクタに伝達されるねじり力により雄コネクタ本体７２の筒状部７６の爪部７４と雌コネクタ本体９０の溝部９６とは所定角度軸回りに相対回転可能であるため、雄コネクタ７０と雌コネクタ８８が分離することが防止される。
【００６１】
[第３実施形態]
次に、第３実施形態の医療用コネクタについて説明する。尚、第１実施形態又は第２実施形態と同一のものは同一の符号を付けて説明を省略する。第３実施形態の医療用コネクタは、第２実施形態の雄コネクタ７０を第１実施形態の雄コネクタ１０にすると共に、第２実施形態の雌コネクタ８８を適用したものである。
【００６２】
図１１及び図１２を参照して第３実施形態の医療用コネクタの連結及び分離方法について説明する。
【００６３】
図１１（ａ）は、雄コネクタ１０と雌コネクタ８８とが連結される前の状態を示している。図１１（ｂ）は、雄コネクタ１０と雌コネクタ８８とが連結された状態を示している。
【００６４】
図１１（ａ）を参照して、雄コネクタ１０と雌コネクタ８８とが連結される前には、雄コネクタ１０の筒状部２４の内部に雌コネクタ８８を挿入することにより、雄コネクタ１０は、雌コネクタ本体９０の曲面１００に雄コネクタ１０の筒状部２４の爪部２２が乗り上げて軸方向の下流側に押し込まれる。この時、雄コネクタ１０の筒状部２４の爪部２２の両端に形成されている溝部３６，３６の作用で爪部２２は外側に撓むことになる。また、雄コネクタ１０の中空針１６が押付部材４９の中央部を通ってゴム部材４８に差し込まれる。
【００６５】
図１１（ｂ）を参照して、雄コネクタ１０と雌コネクタ８８とが連結された状態では、雄コネクタ１０の筒状部２４の爪部２２は、雌コネクタ本体９０の第５の溝部９６に係合している。また、雄コネクタ１０の中空針１６がゴム部材４８を貫通して雄コネクタ１０の第１のチューブ１４と雌コネクタ８８の第２チューブ４４とが連通される。
【００６６】
図１２（ａ）は、雄コネクタ１０と雌コネクタ８８とが分離される第１の状態を示している。図１２（ｂ）は、雄コネクタ１０と雌コネクタ８８とが分離される第２の状態を示している。
【００６７】
図１２（ａ）を参照して、雄コネクタ１０と雌コネクタ８８とが分離される第１の状態では、雄コネクタ１０と雌コネクタ８８とが連結され雄コネクタ１０の筒状部２４の爪部２２が雌コネクタ本体９０の第５の溝部９６の上流側に係合している状態から雄コネクタ１０を軸方向の下流側に押し込むことにより、雄コネクタ１０の筒状部２４の爪部２２が雌コネクタ本体９０の第５の溝部９６の軸方向の下流側に移動する。
【００６８】
図１２（ｂ）を参照して、雄コネクタ１０と雌コネクタ８８とが分離される第２の状態では、第１の状態から雄コネクタ１０を突出部１０２に突き当たるまで回転され、雄コネクタ１０の筒状部２４の爪部２２を第６の溝部１０８に導入して上流側に引いている。更に、雄コネクタ１０を軸方向の上流側に引くことで雄コネクタ１０と雌コネクタ８８とが分離される。
【００６９】
以上、本実施形態によれば、第１実施形態の雄コネクタ１０及び第２実施形態の雌コネクタ８８を適用しているので、コネクタに接続されているチューブがねじれてもコネクタに伝達されるねじり力により雄コネクタ本体７２の筒状部７６の爪部７４と雌コネクタ本体９０の第５の溝部９６とは所定角度軸回りに相対回転可能であり、また、雄コネクタ１０の突出部２０と雄コネクタ１０の第１の溝部１８は軸回りに相対回転可能であるため、雄コネクタ１０と雌コネクタ８８とが分離することが防止される。
【符号の説明】
【００７０】
１０…雄コネクタ、１２…雄コネクタ本体、１４…第１のチューブ、１６…中空針、１８…第１の溝部、２０…突出部、２２…爪部、２４…筒状部、２６…第１円筒部、２８…第２円筒部、３０…孔、３２…孔、３４…溝部、３６…溝部、３８…面取部、４０…雌コネクタ、４２…雌コネクタ本体、４４…第２のチューブ、４６…ロート部材、４８…ゴム部材、４９…押付部材、５０…孔、５２…孔、５４…第２の溝部、５６…凹面、５８…第３の溝部、６０…鍔部、６２…第４の溝部、６４…突出部、７０…雄コネクタ、７２…雄コネクタ本体、７４…爪部、７６…筒状部、７８…第１円柱部、８０…第２円柱部、８２…溝部、８４…孔、８６…孔、８８…雌コネクタ、９０…雌コネクタ本体、９２…孔、９４…孔、９６…第５の溝部、９８…鍔部、１００…曲面、１０２…突出部、１０４…第１の壁部、１０６…第２の壁部、１０８…第６の溝部。
【図１】
2011056009.tif 000003
【図２】
2011056009.tif 000004
【図３】
2011056009.tif 000005
【図４】
2011056009.tif 000006
【図５】
2011056009.tif 000007
【図６】
2011056009.tif 000008
【図７】
2011056009.tif 000009
【図８】
2011056009.tif 000010
【図９】
2011056009.tif 000011
【図１０】
2011056009.tif 000012
【図１１】
2011056009.tif 000013
【図１２】
2011056009.tif 000014